(57)【要約】【課題】移動通信端末の試験の効率化を図ることができる移動通信端末試験装置及びデータ生成装置並びに移動通信端末試験方法を提供する。【解決手段】移動通信端末試験装置１は、フレームに含まれるダウンリンク（ＤＬ）区間の構成を示すフレーム構成情報を記憶するＵＬ／ＤＬ構成情報記憶部２１と、ＤＬ区間のデータのみを記憶する送信波形データ記憶部４１と、フレーム構成情報に基づいてフレームに含まれるＤＬ区間のデータを送信波形データ記憶部４１から読み出し、読み出したＤＬ区間のデータを含むフレームを生成して移動通信端末６に出力する送信波形データ出力部１２と、移動通信端末６からＤＬ区間のデータに応答した応答信号を受信して解析する解析部１７と、を備える。【選択図】図３
2014123833.tif 000002
【特許請求の範囲】
【請求項１】
時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）であって、
前記フレーム内において前記ダウンリンク区間の配置された情報を示すフレーム構成情報を記憶するフレーム構成情報記憶手段（２１）と、
前記ダウンリンク区間のデータのみを記憶するデータ記憶手段（４１）と、
前記フレーム構成情報に基づいて前記データ記憶手段から前記ダウンリンク区間のデータを読み出し、読み出したダウンリンク区間のデータを含むフレームを生成して前記移動通信端末に出力するフレーム出力手段（１２）と、
前記移動通信端末から前記ダウンリンク区間のデータに応答した応答信号を受信して解析する解析手段（１７）と、
を備えたことを特徴とする移動通信端末試験装置。
【請求項２】
前記フレーム出力手段（６０）は、前記フレーム構成情報に加えて、前記フレーム内における前記ダウンリンク区間の時間的位置の情報に基づいて前記フレームを生成し前記移動通信端末に出力するものであることを特徴とする請求項１に記載の移動通信端末試験装置（２）。
【請求項３】
前記ダウンリンク区間のデータが前記データ記憶手段に記憶される際の前記データ記憶手段内の区分を識別するための区分情報を前記フレーム構成情報に基づいて生成する区分情報生成手段（３２）をさらに備え、
前記フレーム出力手段は、前記区分情報を参照し、前記データ記憶手段から前記ダウンリンク区間のデータを読み出すものであることを特徴とする請求項１又は請求項２に記載の移動通信端末試験装置。
【請求項４】
請求項１から請求項３までのいずれか１項に記載の移動通信端末試験装置が有するデータ生成装置（３０）であって、
前記時分割複信方式の前記フレームに含まれる前記ダウンリンク区間のデータのみを生成し、前記フレームの先頭から前記ダウンリンク区間のデータが順次連なったデータ列を前記データ記憶手段に記憶するデータ列生成手段（３１）を備えたことを特徴とするデータ生成装置。
【請求項５】
時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）を用いた移動通信端末試験方法であって、
前記フレーム内において前記ダウンリンク区間の配置された情報を示すフレーム構成情報に基づいて、前記ダウンリンク区間のデータのみを記憶するデータ記憶手段（４１）から前記ダウンリンク区間のデータを読み出し、読み出したダウンリンク区間のデータを含むフレームを生成して前記移動通信端末に出力するフレーム出力ステップ（Ｓ３３、Ｓ３５）と、
前記移動通信端末から前記ダウンリンク区間のデータに応答した応答信号を受信して解析する解析ステップ（Ｓ２６）と、
を含むことを特徴とする移動通信端末試験方法。
【発明の詳細な説明】
【技術分野】
【０００１】
本発明は、例えば、携帯電話やモバイル端末等の移動通信端末を試験する移動通信端末試験装置及びデータ生成装置並びに移動通信端末試験方法に関する。
【背景技術】
【０００２】
移動通信システムの通信規格として、時分割複信（ＴＤＤ：Time Division Duplex）方式が知られている。この時分割複信方式には、ＴＤ−ＬＴＥ（Time Division Duplex Long Term Evolution）規格やＴＤ−ＳＣＤＭＡ（Time Division Synchronous Code Division Multiple Access ）規格等がある。
【０００３】
従来、この種の通信規格に対応した移動通信端末の開発や製造検査の際に、移動通信端末の送受信特性を検査するための試験装置が提案されている（例えば、特許文献１参照）。
【０００４】
特許文献１記載のものは、移動通信端末から解析対象であるＴＤ−ＳＣＤＭＡ信号を受信して、その信号波形の波形データを記憶するメモリと、各波形データからスロットごとの電力を検出する解析部と、検出したスロットごとの電力を時系列に並べて表示器にグラフ表示する表示制御手段と、を備えている。
【０００５】
この構成により、特許文献１記載のものは、所望する特定のスロットの電力の推移を、測定者が容易に把握することができるようになっている。
【先行技術文献】
【特許文献】
【０００６】
【特許文献１】特開２００８−３０６５０５号公報
【発明の概要】
【発明が解決しようとする課題】
【０００７】
ところで、近時、通信規格や試験項目が多様化しているので、様々な通信規格や試験項目に応じて、移動通信端末に送信する送信信号の波形を多種又はできるだけ長時間に亘って記憶し一括して解析を行うことにより、試験の効率化を図ることが望まれている。
【０００８】
しかしながら、従来のものは、送信信号の波形の記憶容量には限界があるので、通信規格ごと又は試験項目ごとに送信信号の波形を記憶して試験を繰り返す構成となっていた。そのため、従来のものは、移動通信端末の試験の効率化が図れないという課題があった。
【０００９】
本発明は、従来の課題を解決するためになされたものであり、移動通信端末の試験の効率化を図ることができる移動通信端末試験装置及びデータ生成装置並びに移動通信端末試験方法を提供することを目的とする。
【課題を解決するための手段】
【００１０】
本発明の請求項１に係る移動通信端末試験装置は、時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）であって、前記フレーム内において前記ダウンリンク区間の配置された情報を示すフレーム構成情報を記憶するフレーム構成情報記憶手段（２１）と、前記ダウンリンク区間のデータのみを記憶するデータ記憶手段（４１）と、前記フレーム構成情報に基づいて前記データ記憶手段から前記ダウンリンク区間のデータを読み出し、読み出したダウンリンク区間のデータを含むフレームを生成して前記移動通信端末に出力するフレーム出力手段（１２）と、前記移動通信端末から前記ダウンリンク区間のデータに応答した応答信号を受信して解析する解析手段（１７）と、を備えた構成を有している。
【００１１】
この構成により、本発明の請求項１に係る移動通信端末試験装置は、データ記憶手段は、フレームに含まれるデータのうち、ダウンリンク区間のデータのみを記憶し、フレーム出力手段は、フレーム構成情報に基づいてデータ記憶手段からダウンリンク区間のデータを読み出し、読み出したダウンリンク区間のデータを含むフレームを生成して移動通信端末に出力するので、ダウンリンク区間及びアップリンク区間のデータを記憶する従来のものよりも記憶するデータ量を大幅に削減することができる。
【００１２】
したがって、本発明の請求項１に係る移動通信端末試験装置は、移動通信端末に送信する送信信号の波形を多種又はできるだけ長時間に亘って記憶し一括して解析を行うことが可能となるので、移動通信端末の試験の効率化を図ることができる。
【００１３】
本発明の請求項２に係る移動通信端末試験装置は、前記フレーム出力手段（６０）は、前記フレーム構成情報に加えて、前記フレーム内における前記ダウンリンク区間の時間的位置の情報に基づいて前記フレームを生成し前記移動通信端末に出力するものである構成を有している。
【００１４】
この構成により、本発明の請求項２に係る移動通信端末試験装置は、フレーム内におけるダウンリンク区間のデータを効率よく確実に読み出すことができる。
【００１５】
本発明の請求項３に係る移動通信端末試験装置は、前記ダウンリンク区間のデータが前記データ記憶手段に記憶される際の前記データ記憶手段内の区分を識別するための区分情報を前記フレーム構成情報に基づいて生成する区分情報生成手段（３２）をさらに備え、前記フレーム出力手段は、前記区分情報を参照し、前記データ記憶手段から前記ダウンリンク区間のデータを読み出すものである構成を有している。
【００１６】
この構成により、本発明の請求項３に係る移動通信端末試験装置は、フレーム出力手段が、データ記憶手段に連なって記憶されたダウンリンク区間のデータを効率よく確実に読み出すことができる。
【００１７】
本発明の請求項４に係るデータ生成装置は、請求項１から請求項３までのいずれか１項に記載の移動通信端末試験装置が有するデータ生成装置（３０）であって、前記時分割複信方式の前記フレームに含まれる前記ダウンリンク区間のデータのみを生成し、前記フレームの先頭から前記ダウンリンク区間のデータが順次連なったデータ列を前記データ記憶手段に記憶するデータ列生成手段（３１）を備えた構成を有している。
【００１８】
この構成により、本発明の請求項４に係るデータ生成装置は、データ記憶手段の利用効率を従来よりも大幅に向上させることができ、移動通信端末に送信する送信信号の波形を多種又はできるだけ長時間に亘って記憶し一括して解析を行うことが可能となるので、移動通信端末の試験の効率化を図ることができる。
【００１９】
本発明の請求項５に係る移動通信端末試験方法は、時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）を用いた移動通信端末試験方法であって、前記フレーム内において前記ダウンリンク区間の配置された情報を示すフレーム構成情報に基づいて、前記ダウンリンク区間のデータのみを記憶するデータ記憶手段（４１）から前記ダウンリンク区間のデータを読み出し、読み出したダウンリンク区間のデータを含むフレームを生成して前記移動通信端末に出力するフレーム出力ステップ（Ｓ３３、Ｓ３５）と、前記移動通信端末から前記ダウンリンク区間のデータに応答した応答信号を受信して解析する解析ステップ（Ｓ２６）と、を含む構成を有している。
【００２０】
この構成により、本発明の請求項５に係る移動通信端末試験方法は、フレーム出力ステップにおいて、フレーム構成情報に基づいてデータ記憶手段からダウンリンク区間のデータを読み出し、読み出したダウンリンク区間のデータを含むフレームを生成して移動通信端末に出力するので、ダウンリンク区間及びアップリンク区間のデータを記憶する従来のものよりも記憶するデータ量を大幅に削減することができる。
【００２１】
したがって、本発明の請求項５に係る移動通信端末試験方法は、移動通信端末に送信する送信信号の波形を多種又はできるだけ長時間に亘って記憶し一括して解析を行うことが可能となるので、移動通信端末の試験の効率化を図ることができる。
【発明の効果】
【００２２】
本発明は、移動通信端末の試験の効率化を図ることができるという効果を有する移動通信端末試験装置及びデータ生成装置並びに移動通信端末試験方法を提供することができるものである。
【図面の簡単な説明】
【００２３】
【図１】ＴＤ−ＬＴＥ規格におけるフレーム構成の説明図である。
【図２】ＴＤ−ＳＣＤＭＡ規格におけるフレーム構成の説明図である。
【図３】本発明に係る移動通信端末試験装置の第１実施形態におけるブロック構成図である。
【図４】本発明に係る移動通信端末試験装置の第１実施形態における送信波形データ出力部、タイミングトリガ生成部、区分情報生成部の機能の機能説明図である。
【図５】本発明に係る移動通信端末試験装置の第１実施形態における波形生成装置のフローチャートである。
【図６】本発明に係る移動通信端末試験装置の第１実施形態におけるメインルーチンのフローチャートである。
【図７】本発明に係る移動通信端末試験装置の第１実施形態における送信波形データ出力処理のフローチャートである。
【図８】本発明に係る移動通信端末試験装置の第２実施形態におけるブロック構成図である。
【図９】本発明に係る移動通信端末試験装置の第２実施形態において、ＴＤ−ＬＴＥ規格のフレームにおけるＤＬサブフレームの区間の時間的位置の説明図である。
【発明を実施するための形態】
【００２４】
本発明の実施の形態について説明する前に、時分割複信方式のＴＤ−ＬＴＥ規格及びＴＤ−ＳＣＤＭＡ規格におけるフレーム構成について説明する。なお、以下の説明において、ダウンリンクを「ＤＬ」、アップリンクを「ＵＬ」と略記する。
【００２５】
図１（ａ）は、ＴＤ−ＬＴＥ規格におけるフレーム構成を示している。図示のように、ＴＤ−ＬＴＥ規格における１個のフレーム（１０ｍｓ）は、２個のハーフフレームで構成される。１個のハーフフレーム（５ｍｓ）は、５個のサブフレームで構成される。１個のサブフレーム（１ｍｓ）は、２個のスロットで構成される。図示の例は、サブフレーム＃１及び＃６の位置に、ＤＬとＵＬとを切り替える切替ポイント（ＳＰ）であるサブフレーム（スペシャルサブフレーム）が含まれている。この場合、スイッチポイント周期は５ｍｓである。スペシャルサブフレームは、伝送ギャップガード周期（ＧＰ）で分離されたＤＬパイロット時間スロット（ＤｗＰＴＳ）及びＵＬパイロット時間スロット（ＵｐＰＴＳ）を含む。
【００２６】
図１（ｂ）は、ＴＤ−ＬＴＥ規格において設定可能な７つのフレーム構成を示している。この７つのフレーム構成は、コンフィギュレーション０〜６で示される。コンフィギュレーション０〜６に対応して、スイッチポイント周期と、サブフレームの構成とが定められている。サブフレーム番号欄に示すように、サブフレームは、ＤＬサブフレーム（Ｄ）、ＵＬサブフレーム（Ｕ）、スペシャルサブフレーム（Ｓ）から構成されている。
【００２７】
図２（ａ）は、ＴＤ−ＳＣＤＭＡ規格におけるフレーム構成を示している。図示のように、ＴＤ−ＳＣＤＭＡ規格における１個のフレーム（１０ｍｓ）は、２個のサブフレームで構成される。１個のサブフレーム（５ｍｓ）は、７個のスロット＃０〜＃６と、２個の切替ポイント（ＳＰ）と、を含む。
【００２８】
ＴＤ−ＳＣＤＭＡ規格では、図中右側の切替ポイントの時間的位置を変更することにより、ＤＬスロット（Ｄ）及びＵＬスロット（Ｕ）の個数を増減することができるようになっている。例えば、図２（ａ）に示した位置から図２（ｂ）に示した位置に切替ポイントの位置を変更することにより、ＤＬスロット（Ｄ）の個数を増加させ、ＵＬスロット（Ｕ）の個数を減少させることができる。
【００２９】
前述のように、ＴＤ−ＬＴＥ規格やＴＤ−ＳＣＤＭＡ規格のような時分割複信方式においては、ＤＬ区間（サブフレーム又はスロット）（Ｄ）及びＵＬ区間（サブフレーム又はスロット）（Ｕ）のフレーム中での構成（以下「サブフレーム構成」という。）が変更可能である。そのため、実際の基地局は、サブフレーム構成を通信状況に応じて動的に変化させることができる。
【００３０】
ここで、擬似基地局として機能する移動通信端末試験装置では、従来、送信波形データとして時間的に連続したデータを用いており、この送信波形データは、ＤＬ区間以外の信号レベルがゼロとなるデータであった。本発明の発明者は、この点に着目し、ＤＬ区間のみの送信波形データを記憶し、その送信波形データから従来と同様の送信波形データを生成することにより、前述の課題を解決するに至った。
【００３１】
（第１実施形態）
次に、本発明の第１実施形態について図面を用いて説明する。
【００３２】
まず、本実施形態における構成について説明する。なお、以下の説明では、被試験端末がＴＤ−ＬＴＥ規格に対応しているものとし、移動通信端末試験装置が被試験端末に対してＴＤ−ＬＴＥ規格に対する試験を行うものとする。
【００３３】
図３に示すように、本実施形態における移動通信端末試験装置１は、同軸ケーブルを介して被試験端末である移動通信端末６と通信を行って移動通信端末６から受信した信号波形を記憶し、記憶した信号波形を解析するものである。この移動通信端末試験装置１は、自装置から移動通信端末６に向かう方向の情報を含むＤＬサブフレームと、移動通信端末６から自装置に向かう方向の情報を含むＵＬサブフレームと、を有するフレームにより通信して移動通信端末６を試験するようになっている。ここで、移動通信端末６は、擬似基地局５との無線同期を確立した後に送信信号を移動通信端末試験装置１に出力するものである。
【００３４】
具体的には、移動通信端末試験装置１は、設定部１１、送信波形データ出力部１２、受信波形データ記憶部１６、解析部１７、表示制御部１８、表示部１９、擬似基地局５、制御装置２０、波形生成装置３０、記憶装置４０を備えている。
【００３５】
擬似基地局５は、送信部１３、結合器１４、受信部１５を備えている。制御装置２０は、ＵＬ／ＤＬ構成情報記憶部２１、システムタイミング制御部２２、タイミングトリガ生成部２３を備えている。波形生成装置３０は、送信波形データ生成部３１、区分情報生成部３２を備えている。記憶装置４０は、送信波形データ記憶部４１、区分情報記憶部４２を備えている。なお、波形生成装置３０は、本発明に係るデータ生成装置を構成する。
【００３６】
設定部１１は、例えば、キーボード、ダイヤル又はマウスのような入力デバイス、これらを制御する制御回路やソフトウェア等で構成され、移動通信端末試験装置１の各部の動作に必要な設定を試験者に行わせるようになっている。
【００３７】
具体的には、設定部１１は、送信部１３の周波数及びレベルと受信部１５の周波数等の設定、解析部１７の解析項目及び解析条件、送信波形データ記憶部４１が出力する送信波形データの決定、送信波形データ生成部３１で生成する送信波形データのパラメータを試験者に設定させるものである。このパラメータには、ＵＬ／ＤＬ構成情報が含まれる。ここで、ＵＬ／ＤＬ構成情報は、ＴＤ−ＬＴＥ規格のフレームにおいてＵＬサブフレーム及びＤＬサブフレームの配置された情報を示すものである。ただし、ＵＬ／ＤＬ構成情報は、少なくともＤＬサブフレームの配置された情報を含む情報であればよい。このＵＬ／ＤＬ構成情報は、本発明に係るフレーム構成情報を構成する。以下、フレーム内において、ＵＬサブフレームの配置された区間をＵＬ区間、ＤＬサブフレームの配置された区間をＤＬ区間という。
【００３８】
図１（ｂ）を参照すると、例えばコンフィギュレーション１が試験者により選択された場合のＵＬ／ＤＬ構成情報は、サブフレーム＃２、＃３、＃７、＃８がＵＬ区間であるという情報と、サブフレーム＃０、＃４、＃５、＃９がＤＬ区間であるという情報と、を含む。
【００３９】
制御装置２０において、ＵＬ／ＤＬ構成情報記憶部２１は、図１（ｂ）に示したコンフィギュレーション０〜６ごとに各ＵＬ／ＤＬ構成情報を記憶するようになっている。このＵＬ／ＤＬ構成情報記憶部２１は、本発明に係るフレーム構成情報記憶手段を構成する。
【００４０】
システムタイミング制御部２２は、送信部１３及び受信部１５にタイミング制御信号を出力し、送受信のタイミング制御を行うようになっている。
【００４１】
タイミングトリガ生成部２３は、ＵＬ／ＤＬ構成情報記憶部２１が記憶したＵＬ／ＤＬ構成情報に基づいて、ＤＬ区間の開始タイミングを示すＤＬ区間開始トリガを生成して送信波形データ出力部１２に出力するようになっている。
【００４２】
波形生成装置３０において、送信波形データ生成部３１は、試験者が設定部１１から入力したパラメータに従って移動通信端末６に送信する送信信号のベースバンド信号の波形データ（デジタル値のＩＱデータ：実数成分及び虚数成分）を生成し、記憶装置４０に記憶するようになっている。
【００４３】
区分情報生成部３２は、送信波形データ生成部３１が波形データを生成する際に、ＵＬ／ＤＬ構成情報記憶部２１が記憶したＵＬ／ＤＬ構成情報に基づいて、ＤＬ区間のデータが送信波形データ記憶部４１に記憶される際の送信波形データ記憶部４１内の区分を識別するための情報（以下「区分情報」という。）を予め生成して記憶装置４０の区分情報記憶部４２に記憶するようになっている。この区分情報生成部３２は、本発明に係る区分情報生成手段を構成する。
【００４４】
すなわち、送信波形データの生成の際、試験者はパラメータの１つとして、ＵＬ／ＤＬ構成を設定する。例えば、ＵＬ／ＤＬ構成のコンフィギュレーション１が設定されたとすると、送信波形データ生成部３１は、ＤＬ区間である、サブフレーム＃０、＃４、＃５、＃９の波形データのみを生成する。そして、区分情報生成部３２は、生成された波形データについて、先頭フレームのサブフレーム＃０のデータ、＃４〜＃５のデータ、先頭フレームのサブフレーム＃９〜次フレームのサブフレーム＃０のデータ・・・というように、各ＤＬ区間を識別するための区分情報を生成する。
【００４５】
記憶装置４０において、送信波形データ記憶部４１は、送信波形データ生成部３１からの送信波形データを記憶するようになっている。この送信波形データ記憶部４１には、ＤＬ区間のみの波形データが連なった送信波形データが記憶される。すなわち、送信波形データ生成部３１は、フレームの先頭からＤＬ区間のデータが順次連なったデータ列を生成するものであり、本発明に係るデータ列生成手段を構成する。また、送信波形データ記憶部４１は、本発明に係るデータ記憶手段を構成する。なお、送信波形データ記憶部４１は、複数種類の送信波形データを記憶可能となっており、試験者は任意の１つの送信波形データを指定して出力させたり、複数の送信波形データを指定して、順に出力させることができるようになっている。
【００４６】
区分情報記憶部４２は、区分情報生成部３２が生成した区分情報を記憶するようになっている。区分情報は、送信波形データに対応付けて記憶される。
【００４７】
送信波形データ出力部１２は、タイミングトリガ生成部２３からＤＬ区間開始トリガを受信し、受信したＤＬ区間開始トリガと、区分情報記憶部４２が記憶した区分情報と、に基づいて送信波形データ記憶部４１から送信波形データを読み出すようになっている。また、送信波形データ出力部１２は、読み出した送信波形データを含むフレームを生成して送信部１３に出力するようになっている。この送信波形データ出力部１２は、本発明に係るフレーム出力手段を構成する。
【００４８】
ここで、送信波形データ出力部１２、タイミングトリガ生成部２３、区分情報生成部３２の機能について、図４に基づき説明する。
【００４９】
図４（ａ）は、試験者がコンフィギュレーション１（図１（ｂ）参照）を選択した場合のＵＬ／ＤＬ構成を示している。先頭フレームではサブフレーム＃０、＃４、＃５、＃９にデータＤ１〜Ｄ４が、次フレームのサブフレーム＃０にデータＤ５が含まれている。これらのデータを含む送信波形データは図４（ｂ）に示すように送信波形データ記憶部４１に記憶される。
【００５０】
すなわち、送信波形データの先頭を基準（＝０）としたときのデータ位置（バイト数、データサンプル数、オフセットアドレスなど）が、データＤ１は０〜（ａ−１）、データＤ２及びＤ３はａ〜（ｂ−１）、データＤ４及びＤ５はｂ〜（ｃ−１）の範囲に区分されて記憶される。データＤ１、互いに隣り合っているデータＤ２及びＤ３、データＤ４及びＤ５の各区分を、それぞれ、区分番号Ｎ＝１、２、３で表すと、各区分の先頭位置及び末尾位置は、図４（ｃ）に示すようなデータ位置で示される。この図４（ｃ）に示した内容が区分情報である。なお、末尾位置を、次のブロックの先頭位置の直前と決めることにより、区分情報から末尾位置の情報を省略することが可能である。
【００５１】
区分情報生成部３２は、送信波形データ生成部３１が波形データを生成する際に、設定部１１によってコンフィギュレーション０〜６のいずれか１つが設定されると、ＵＬ／ＤＬ構成情報記憶部２１に記憶されたＵＬ／ＤＬ構成のうち、試験者が設定したコンフィギュレーションに対応したＵＬ／ＤＬ構成に基づいて区分情報を生成し、区分情報記憶部４２に記憶するようになっている。
【００５２】
タイミングトリガ生成部２３は、ＵＬ／ＤＬ構成情報記憶部２１に記憶されたＵＬ／ＤＬ構成に基づき、ＵＬ区間開始トリガを次のように生成する。
【００５３】
すなわち、タイミングトリガ生成部２３は、コンフィギュレーション１が選択されている場合は、データＤ１の開始タイミング、データＤ２及びＤ３の開始タイミング及びデータＤ４及びＤ５の開始タイミングに、それぞれ、ＤＬ区間開始トリガを送信波形データ出力部１２に出力する。
【００５４】
送信波形データ出力部１２は、ＤＬ区間開始トリガを受信すると１つの区分の送信波形データを送信波形データ記憶部４１から読み出して出力し、その後にダミーデータ（例えば送信信号レベルがゼロとなるデータ）を出力する。送信波形データ出力部１２は、次のＤＬ区間開始トリガを受信すると次の区分の送信波形データを送信波形データ記憶部４１から読み出して出力し、その後にダミーデータを出力する、という動作を繰り返す。
【００５５】
その結果、送信部１３に入力される送信波形データは、図４（ａ）に示したように、１つのフレーム内において、サブフレーム＃０の位置にデータＤ１、サブフレーム＃１〜＃３の位置にそれぞれダミーデータ、サブフレーム＃４及び＃５の位置にそれぞれデータＤ２及びＤ３、サブフレーム＃６〜＃８の位置にそれぞれダミーデータ、サブフレーム＃９の位置にデータＤ４が配置されたものとなる。
【００５６】
なお、図１（ａ）において説明したスペシャルサブフレームにおいても通信データが伝送されるが、発明に対する理解を容易にするため、スペシャルサブフレームにおける通信データについての説明は省略する。ただし、ＵＬサブフレーム及びＤＬサブフレームに対する本実施形態での処理をスペシャルサブフレームに応用することは可能である。
【００５７】
図３に戻り、送信部１３は、例えば、ＤＡＣ（デジタルアナログコンバータ）、直交変調器、レベル制御器、周波数変換器等を備え、送信波形データ出力部１２が出力した波形データを所定の無線周波数（ＲＦ）信号に変換して結合器１４に出力するようになっている。
【００５８】
結合器１４は、同軸ケーブルを介して移動通信端末６に接続されている。結合器１４は、送信部１３からのＲＦ信号を移動通信端末６に送信するとともに、移動通信端末６から受信したＲＦ信号を受信部１５に出力するようになっている。
【００５９】
受信部１５は、例えば、周波数変換器、復調器、ＡＤＣ（アナログデジタルコンバータ）等を備え、移動通信端末６からのＲＦ信号を受信して受信波形データ（デジタル値のＩＱデータ）として受信波形データ記憶部１６に出力するようになっている。
【００６０】
受信波形データ記憶部１６は、受信部１５からの受信波形データを記憶するようになっている。
【００６１】
解析部１７は、制御装置２０から解析項目及び解析条件等の情報を入力し、受信波形データ記憶部１６から受信波形データを読み出し、読み出した受信波形データを解析するようになっている。解析結果のデータは、表示制御部１８に出力される。解析部１７は、本発明に係る解析手段を構成する。
【００６２】
表示制御部１８は、解析結果のデータを表示部１９の画面に表示させる表示制御を行うようになっている。
【００６３】
表示部１９は、表示制御部１８の表示制御に従って、解析結果のデータを画面に表示するようになっている。
【００６４】
次に、本実施形態における波形生成装置３０の動作について図５に示すフローチャートを中心に説明する。
【００６５】
送信波形データ生成部３１は、設定部１１から、ＵＬ／ＤＬ構成情報及び送信波形データの情報を入力する（ステップＳ１１）。送信波形データの情報は、試験内容に応じて定められる。
【００６６】
送信波形データ生成部３１は、ＤＬ区間のみの、ベースバンド信号の送信波形データ（ＩＱデータ）を生成する（ステップＳ１２）。この送信波形データは、ＤＬ区間のみの波形データを連ねたものとなっている。
【００６７】
区分情報生成部３２は、ＵＬ／ＤＬ構成情報記憶部２１に記憶されたＵＬ／ＤＬ構成の情報に基づいて区分情報を生成する（ステップＳ１３）。具体的には、図４を用いて説明したように、コンフィギュレーション０〜６のいずれか１つに対応したＵＬ／ＤＬ構成情報からＤＬ区間のデータが記憶されているサブフレームを求め、ＤＬ区間のデータの各先頭位置、各末尾位置を求めることにより区分情報を生成する。この区分情報は、区分情報記憶部４２に記憶される。
【００６８】
送信波形データ生成部３１及び区分情報生成部３２は、それぞれ、送信波形データ及び区分情報を、送信波形データ記憶部４１及び区分情報記憶部４２に記憶する（ステップＳ１４）。
【００６９】
次に、本実施形態における移動通信端末試験装置１の動作について図６及び図７に示すフローチャートを中心に説明する。
【００７０】
設定部１１は、各種試験条件を試験者に入力させ、移動通信端末試験装置１の各部の動作に必要な設定を行う（ステップＳ２１）。具体的には、設定部１１は、ＴＤ−ＬＴＥ規格のフレームにおけるコンフィギュレーション、送信波形データ生成部３１の送信波形データ、解析部１７の解析項目及び解析条件、送信部１３の周波数及びレベル、受信部１５の周波数等を設定する。
【００７１】
制御装置２０は、送信波形データ記憶部４１に記憶された送信波形データの中から、ＵＬ／ＤＬ構成に対応した送信波形データを選択し（ステップＳ２２）、送信波形データ出力部１２に送信波形データ出力処理（ステップＳ３０）を実行させる。送信波形データ出力処理を図７に示す。
【００７２】
図７に示すように、送信波形データ出力部１２は、区間番号ＮをＮ＝１として初期化する（ステップＳ３１）。
【００７３】
送信波形データ出力部１２は、タイミングトリガ生成部２３からＤＬ区間開始トリガを受信したか否かを判断する（ステップＳ３２）。
【００７４】
ステップＳ３２において、送信波形データ出力部１２は、ＤＬ区間開始トリガを受信したと判断した場合は、区分情報記憶部４２に記憶された区分情報を参照して、Ｎ番目の区分の送信波形データを送信部１３に出力する（ステップＳ３３）。
【００７５】
一方、ステップＳ３２において、送信波形データ出力部１２は、ＵＬ区間開始トリガを受信したと判断しなかった場合は、後述するステップＳ３５の処理を行う。
【００７６】
送信波形データ出力部１２は、区間番号Ｎを１つ増加する（ステップＳ３４）。
【００７７】
送信波形データ出力部１２は、ダミーデータを出力し（ステップＳ３５）、ステップＳ３２に戻る。
【００７８】
図４に示した例で説明すれば、送信波形データ出力部１２は、Ｎ＝１の場合はデータ位置０〜（ａ−１）に記憶されたＤ１を読み出して出力し、その後にサブフレーム＃１〜＃３の区間はダミーデータを出力し、Ｎ＝２の場合はデータ位置ａ〜（ｂ−１）に記憶されたＤ２及びＤ３を読み出して出力し、その後にサブフレーム＃６〜＃８の区間はダミーデータを出力する、という処理を行う。すなわち、送信波形データ出力部１２は、ステップＳ３３及びＳ３５の処理を所定回数繰り返すことにより、ＴＤ−ＬＴＥ規格のフレームが構成される。
【００７９】
図６に戻り、送信部１３は、送信波形データ出力部１２が出力する送信波形データから所定周波数のＲＦ送信信号を生成し、結合器１４を介し、ＲＦ送信信号を試験信号として移動通信端末６に送信する（ステップＳ２３）。この試験信号を受信した移動通信端末６は、試験信号に応答した応答信号を移動通信端末試験装置１に返す。
【００８０】
受信部１５は、移動通信端末６から、試験信号に応答した応答信号を受信する（ステップＳ２４）。
【００８１】
解析部１７は、受信部１５からの受信波形データについて、設定部１１が設定した解析項目及び解析条件に基づいて解析する（ステップＳ２６）。例えば、解析部１７は、読み出した受信波形データについて、送信電力値、ＥＶＭ、隣接チャネル漏洩電力比、エラーレート等を解析する。
【００８２】
表示制御部１８は、解析部１７が解析した解析結果のデータを表示部１９の画面に表示させる表示制御を行って表示部１９に出力する。表示部１９は、表示制御部１８の表示制御に従って、解析結果のデータを画面に表示する（ステップＳ２７）。
【００８３】
以上のように、本実施形態における移動通信端末試験装置１は、送信波形データ記憶部４１は、フレームに含まれるデータのうち、ＤＬサブフレームのデータのみを記憶し、送信波形データ出力部１２は、フレーム構成情報に基づいて送信波形データ記憶部４１からＤＬサブフレームのデータを読み出し、読み出したＤＬサブフレームのデータを含むフレームを生成して移動通信端末６に出力するので、ＤＬサブフレーム及びＵＬサブフレームのデータを記憶する従来のものよりも記憶するデータ量を大幅に削減することができる。
【００８４】
したがって、本実施形態における移動通信端末試験装置１は、移動通信端末６に送信する送信信号の波形を多種又はできるだけ長時間に亘って記憶し一括して解析を行うことが可能となるので、移動通信端末６の試験の効率化を図ることができる。
【００８５】
なお、前述の実施形態において、移動通信端末試験装置１が移動通信端末６に対してＴＤ−ＬＴＥ規格に対する試験を行う例を挙げて説明したが、本発明はこれに限定されるものではなく、時分割複信方式に基づいた規格（例えばＴＤ−ＳＣＤＭＡ規格）において適用可能であり、同様な効果が得られる。
【００８６】
（第２実施形態）
図８に示すように、本実施形態における移動通信端末試験装置２は、第１実施形態における移動通信端末試験装置１（図３参照）の一部を変更したものである。したがって、第１実施形態と同様な構成には同一の符号を付してその説明を省略する。
【００８７】
移動通信端末試験装置２は、制御装置５０及び送信波形データ出力部６０を備えている。制御装置５０は、第１実施形態における制御装置２０からタイミングトリガ生成部２３を取り除いたものである。この制御装置５０は、ＵＬ／ＤＬ構成情報記憶部２１に記憶されたＵＬ／ＤＬ構成情報を送信波形データ出力部６０に出力するようになっている。
【００８８】
送信波形データ出力部６０は、ＵＬ／ＤＬ構成情報記憶部２１に記憶されたＵＬ／ＤＬ構成に基づき、送信波形データ記憶部４１からＤＬ区間のみの送信波形データを読み出して出力するようになっている。
【００８９】
本実施形態におけるＵＬ／ＤＬ構成情報は、ＴＤ−ＬＴＥ規格のフレームにおけるＵＬ区間及びＤＬ区間の構成を示す情報と、ＤＬ区間の時間的位置の情報と、を含む。各区間の時間的位置の情報は、図９に示すように、例えば、フレームの先頭位置からの時間は、１個目のＤＬ区間は時間ｔ０、２個目のＵＬ区間は時間ｔ２というように示される。なお、各区間の時間的位置の情報が、ＵＬ区間及びＤＬ区間の各時間的位置の情報を含むものであってもよい。
【００９０】
制御装置５０は、同期モードで動作するので移動通信端末６が送信信号を送信するタイミングを把握しており、各フレームの先頭位置を検出可能であるので、各ＤＬ区間の時間的位置を取得できる。
【００９１】
この構成により、送信波形データ出力部６０は、送信波形データ記憶部４１からＤＬ区間のみの送信波形データを読み出して送信部１３に出力することができる。
【００９２】
したがって、本実施形態における移動通信端末試験装置２は、比較的簡単な構成で、送信波形データ記憶部４１からＤＬ区間のみの受信波形データを出力することができる。
【産業上の利用可能性】
【００９３】
以上のように、本発明に係る移動通信端末試験装置及びデータ生成装置並びに移動通信端末試験方法は、移動通信端末の試験の効率化を図ることができるという効果を有し、携帯電話やモバイル端末等の移動通信端末を試験する移動通信端末試験装置及びデータ生成装置並びに移動通信端末試験方法として有用である。
【符号の説明】
【００９４】
１、２  移動通信端末試験装置
５  擬似基地局
６  移動通信端末
１１  設定部
１２、６０  送信波形データ出力部（フレーム出力手段）
１３  送信部
１４  結合器
１５  受信部
１６  受信波形データ記憶部
１７  解析部（解析手段）
１８  表示制御部
１９  表示部
２０、５０  制御装置
２１  ＵＬ／ＤＬ構成情報記憶部（フレーム構成情報記憶手段）
２２  システムタイミング制御部
２３  タイミングトリガ生成部
３０  波形生成装置（データ生成装置）
３１  送信波形データ生成部（データ列生成手段）
３２  区分情報生成部（区分情報生成手段）
４０  記憶装置
４１  送信波形データ記憶部（データ記憶手段）
４２  区分情報記憶部
【図１】
2014123833.tif 000003
【図２】
2014123833.tif 000004
【図３】
2014123833.tif 000005
【図４】
2014123833.tif 000006
【図５】
2014123833.tif 000007
【図６】
2014123833.tif 000008
【図７】
2014123833.tif 000009
【図８】
2014123833.tif 000010
【図９】
2014123833.tif 000011